(57)【要約】【課題】血圧計測時にエアチューブが表示部や操作部にかかり易い。【解決手段】人体の所定の部位を圧迫するカフを用いて人体の血圧を測定する血圧計において、表示部２又は操作部３を備えた血圧計本体１と、血圧計本体１とカフ４又は血圧計本体１と大気とを連通する可撓性の第１のエアチューブ５と第２のエアチューブ９とを有し、血圧計本体１の後方（上辺）側の底面コーナには、第１のエアチューブ５と第２のエアチューブ９の延伸方向を規制する規制部である凹部１ａを、血圧計本体１の左右方向（Ｃ−Ｄ）に連通した状態で設ける。第１のエアチューブ５と第２のエアチューブ９を凹部１ａの上部外表面１ｂでエアコネクタ１０を介して血圧計本体１と接続する。血圧計測時にエアチューブが表示部又は操作部にかかり難くなる。表示が見やすく、電源スイッチ等の操作部の操作を妨げない。耐衝撃性、外観品質に優れている。【選択図】　　　図１
2004081743.tif 000002
【特許請求の範囲】
【請求項１】
人体の血圧を測定する血圧計において、該血圧計は、表示部又は操作部を備えた血圧計本体と、前記血圧計本体と一端で連通する可撓性のエアチューブと、を有し、前記血圧計本体に、前記エアチューブの延伸方向を規制する規制部を設けたことを特徴とする血圧計。
【請求項２】
前記規制部は、前記血圧計本体の外表面に設けられた凹部の外表面であることを特徴とする請求項１記載の血圧計。
【請求項３】
前記凹部は、少なくとも上部外表面を有し、前記エアチューブは、前記凹部の上部外表面で前記血圧計本体と連通することを特徴とする請求項２記載の血圧計。
【請求項４】
前記凹部は、前記血圧計本体の左右方向に開口していることを特徴とする請求項１〜３のいずれか１項に記載の血圧計。
【請求項５】
前記規制部は、前記エアチューブの延伸方向を左右方向に規制することを特徴とする請求項１〜３のいずれか１項に記載の血圧計。
【請求項６】
前記凹部は、少なくとも前記血圧計本体の後方に開口していることを特徴とする請求項２〜５のいずれか１項に記載の血圧計。
【請求項７】
前記血圧計は、前記血圧計本体と前記エアチューブとを接続可能なエアコネクタを有し、前記エアチューブは、前記エアコネクタを介して前記血圧計本体に連通することを特徴とる請求項１〜６のいずれか１項に記載の血圧計。
【請求項８】
前記エアチューブは、カフと連通する第１のエアチューブと、ポンプと連通する第２のエアチューブとを有し、前記エアコネクタは、前記血圧計本体と接続する本体接続部と、前記第１のエアチューブと接続するカフ接続部と、前記第２のエアチューブと接続するポンプ接続部とを有していることを特徴とする請求項７記載の血圧計。
【請求項９】
前記カフ接続部と前記ポンプ接続部は互いに反対方向に延伸していることを特徴とする請求項８記載の血圧計。
【請求項１０】
前記カフ接続部の先端から前記ポンプ接続部の先端までの長さは、前記血圧計本体の左右方向の長さ又は前後方向の長さより短いことを特徴とる請求項８又は９のいずれか１項に記載の血圧計。
【請求項１１】
前記エアコネクタを、前記血圧計本体の上面側から見たとき、血圧計本体側面より囲まれる領域内に配置したことを特徴とする請求項７〜１０のいずれか１項に記載の血圧計。
【発明の詳細な説明】
【０００１】
【発明の属する技術分野】
本発明は、人体の血圧を測定する血圧計に関する。
【０００２】
【従来の技術】
従来の電子血圧計として、人体の所定の部位を圧迫するカフを用いて前記人体の血圧を測定する血圧計であって、表示部又は操作部を備えた血圧計本体と、前記血圧計本体と前記カフ又は前記血圧計本体と大気とを連通する可撓性のエアチューブとを有し、前記２つのエアチューブを接続するエアコネクタを血圧計本体の外表面に具備した電子血圧計が使用されている（例えば、特許文献１参照。）。
【０００３】
図６は、上記特許文献１に開示されている電子血圧計の外観を示す斜視図である。図６において、２０は略四角形状をした血圧計本体で、その表面の上部に矩形形状をした表示部２１と、電源スイッチである操作部２２が配置されている。２３は、血圧計測時に人体の所定の部位を圧迫するカフ（腕帯）で、ゴム管等の可撓性のエアチューブ２４が接続されている。２５は、加圧・減圧機構であり、前記カフ２３を加圧するゴム球等のエアポンプ２６と、カフ２３を排気する減圧ツマミ２７から構成されている。前記エアポンプ２６には、ゴム管等の可撓性のエアチューブ２８が接続されている。
【０００４】
２９は、エアチューブ２４，２８を接続するエアコネクタである。該エアコネクタ２９を前記血圧計本体２０の外表面、例えば、図６に示すように略四角形状の左側の側壁に突出した状態で取り付けられている。従って、血圧計測時に血圧計本体２０を机等の測定台上に載置し、前記エアコネクタ２９にカフ用チューブ２４とエアポンプ用チューブ２８をそれぞれ接続した際に、前記エアコネクタ２９近傍より先の２つのエアチューブ２４、２８はフリーの状態になり、２つのエアチューブ２４、２８の延伸方向を規制するものはない。
【０００５】
【特許文献１】
意匠登録第９０１７５０号公報（第２頁、使用状態を示す参考図）
【０００６】
【発明が解決しようとする課題】
しかしながら、上記した電子血圧計において、血圧計測時に、測定者は一般的に、血圧計本体２０を体の正面に置き、左腕にカフ２３を巻回装着し、エアポンプ２６を体の右側に持ってきて右手でエアポンプ２６を操作してカフ２３を加圧する。その際、エアチューブ２８が、血圧計本体２０の左側の側壁から右側のエアポンプ２６に引き回される際に、表示部２１と、電源スイッチである操作部２２にかかり易く（乗り上げ易く）、表示が見え難くなったり、電源スイッチなどの操作がし難くなることがある。そして、エアチューブ２８の位置を、表示や操作の邪魔にならない位置にずらそうとすると、血圧計本体２０が動いて、表示部２１の位置が真正面からずれて正視できなくなり、数字、記号、マーク等の表示が読み取り難くなることもある。
【０００７】
更に、エアコネクタ２９が血圧計本体２０の外表面に凸設されているので、予期しない外部衝撃を受けやすく、エアコネクタ２９が破損され易い。また、エアコネクタ２９が血圧計本体２０の外形形状よりはみ出しているので、外観品質を損なうなどの問題があった。
【０００８】
以上述べた例では、エアコネクタの配設位置は、血圧計本体の左側壁の外表面に凸設したものであるが、上側壁又は右側壁の外表面に凸設しても、同様な問題が生じることは言うまでもない。
【０００９】
本発明は、上記従来の課題に鑑みなされたものであり、その目的は、血圧計測中にエアチューブが血圧計本体の表示部又は操作部にかかり難くなる構造の血圧計を提供するものである。
【００１０】
【課題を解決するための手段】
上記課題を解決するために、本発明で用いる第１の手段は、人体の血圧を測定する血圧計において、該血圧計は、表示部又は操作部を備えた血圧計本体と、前記血圧計本体と一端で連通する可撓性のエアチューブと、を有し、前記血圧計本体に、前記エアチューブの延伸方向を規制する規制部を設けることである。
【００１１】
また、第２の手段は、前記規制部を、前記血圧計本体の外表面に設けられた凹部の外表面としたことである。
【００１２】
また、第３の手段は、前記凹部を、前記血圧計本体の左右方向に開口させたことである。
【００１３】
また、第４の手段は、前記規制部によって、前記エアチューブの延伸方向を左右方向に規制したことである。
【００１４】
また、第５の手段は、エアコネクタのカフ接続部の先端からポンプ接続部の先端までの長さを、前記血圧計本体の左右方向の長さ又は前後方向の長さより短くしたことである。
【００１５】
また、第６の手段は、前記エアコネクタを、前記血圧計本体の上面側から見たとき、血圧計本体側面より囲まれる領域内に配置したことである。
【００１６】
【発明の実施の形態】
以下、図面に基づいて本発明における電子血圧計について説明する。図１〜図４は、本発明の第１の実施の形態に係わり、図１は、電子血圧計の外観斜視図、図２は、図１の矢印Ａ方向から見た血圧計本体の側面図、図３は、図２の矢印Ｂ方向から見た背面図、図４は、電子血圧計本体の底面図である。
【００１７】
図１〜図４に示した血圧計の構成について説明する。１は略四角形状をした血圧計本体で、その上面に矩形形状をした表示部２と、操作部３である電源スイッチが配置されている。４は、血圧計測時に人体の所定の部位を圧迫するカフ（腕帯）で、ゴム管等の可撓性の第１のエアチューブ５が接続されている。６は、加圧・減圧機構であり、該加圧・減圧機構６は、前記カフ４内の空気を加圧するゴム球等よりなるエアポンプ７と、カフ４を排気する減圧ツマミ８から構成されている。前記エアポンプ７には、ゴム管等の可撓性の第２のエアチューブ９が接続されている。
【００１８】
前記血圧計本体１の表示部２を正視する状態において、血圧計本体１の後方（上辺）側の底面コーナには、血圧計本体１の左右方向（図１、３、４に示すＣ−Ｄ方向）と後方（図１，２に示す矢印Ｂと反対方向）に開口し、底面に略平行に前記コーナがカットされた凹部１ａが形成されている。この凹部１ａは、後述するように、前記第１のエアチューブ５と第２のエアチューブ９の延伸方向を、前記血圧計本体１の左右方向（Ｃ−Ｄ）に規制するものである。凹部１ａには上部外表面１ｂと側部外表面１ｄとが形成されている。上部外表面１ｂは、血圧測定を行うために血圧計本体１を机等の測定台上に載置したときに、測定台とほぼ対向する面であり、側部外表面１ｄは、上部外表面１ｄとほぼ直交する面である。
【００１９】
その凹部１ａには、略Ｔ字型形状をしているエアコネクタ１０が配置され、第１のエアチューブ５を接続するカフ接続部１０ａと、第２のエアチューブ９を接続するポンプ接続部１０ｂと、エアコネクタ１０を血圧計本体１に接続するための本体接続部１０ｃとを有している。（図１では、斜視図では見えないエアコネクタ１０を実線で示している。また、図２，図４はエアコネクタ１０からエアチューブ５，９を取り外した状態を示している。）また、図１に示すように、本体接続部１０ｂの端部近傍には、エアコネクタ１０を血圧計本体１に固定するための、略円盤状の固定部１０ｅが形成されている。この固定部１０ｅは、血圧計本体１の内部に設けられた図示しない係合部に係合しており、血圧計本体１の外部からは見えない位置にある。カフ接続部１０ａとポンプ接続部１０ｂとは互いに反対方向に延伸し、両接続部１０ａ、１０ｂの延伸方向に直交して本体接続部１０ｃが形成されている。この本体接続部１０ｃは、前記凹部１ａの上部外表面１ｂの長手方向の略中央部で血圧計本体１に取り付けられている。すなわち、カフ接続部１０ａに第１のエアチューブ５が接続され、ポンプ接続部１０ｂに第２のエアチューブ９が接続されることにより、第１のエアチューブ５と第２のエアチューブ９は、エアコクタ１０を介して血圧計本体１に形成された凹部１ａの上部外表面１ｂに連通されている。
【００２０】
また、前記エアコネクタ１０のカフ接続部１０ａとポンプ接続部１０ｂとを結ぶ線と、前記第１のエアチューブ５と第２のエアチューブ９の延伸方向とは一致している。また、図４に示すように、カフ接続部１０ａの先端から前記ポンプ接続部１０ｂの先端迄の長さＬは、血圧計本体１の左右方向の長さＬ１より短く設定されている。
【００２１】
前記エアコネクタ１０を、前記血圧計本体１の上面側から見たときに、カフ接続部１０ａの先端から前記ポンプ接続部１０ｂの先端迄の長さは、血圧計本体１の左右方向の長さＬ１より短く設定されているので、血圧計本体１の側面より囲まれる領域内に配置されているエアコネクタ１０は視認されない。また、血圧計測時に血圧計本体１を机等の測定台上に安定した状態で載置するために、前記第１のエアチューブ５と第２のエアチューブ９が血圧計本体１の底面より出っ張ることがないように、前記凹部１ａの寸法が設定されている。
【００２２】
このカフ接続部１０ａとポンプ接続部１０ｂに接続された第１、第２のエアチューブは、凹部１ａ内で左右方向に延伸し、凹部１ａの左右方向の開口部から導出されている。そして、第１のエアチューブ５が上方に浮き上がろうとしても、エアコネクタ１０を基準として矢印Ｃ方向にある当接部１ｃに当接してそれ以上は浮き上がらない。また、第１のエアチューブ５が手前に引かれても、エアコネクタ１０を基準として矢印Ｃ方向にある当接部１ｅで当接してそれ以上は引かれない。
【００２３】
このように、凹部の外表面である上部外表面１ｂの当接部１ｃや側部外表面１ｂの当接部１ｅによって第１のエアチューブ５の延伸方向が規制されている。また、同様に、第２のエアチューブ９の延伸方向も、エアコネクタ１０を基準として矢印Ｄ方向にある当接部１ｃや当接部１ｅによって規制されている。すなわち、凹部の外表面は、第１のエアチューブ５や第２のエアチューブ９の延伸方向を規制する規制部である。
【００２４】
以上述べた構成の電子血圧計の血圧計測時の作用・効果について説明する。血圧計測時に血圧計本体１を机等の測定台上に載置し、測定者は一般的に左腕にカフ４を巻回装着し、右手でエアポンプ７を操作してカフ４を加圧する。その際、第１のエアチューブ５と第２のエアチューブ９の延伸方向は、前記凹部１ａの上部外表面１ｂや側部外表面１ｄで規制される。すなわち、第１のエアチューブ５と第２のエアチューブ９は、上部外表面１ｂの両端の当接部１ｃや、側部外表面１ｄの両端の当接部１ｅに当接するので、これらのチューブは浮き上がり難くなり、血圧計本体１の表示部２及び操作部３が配設されている表面側に第１のエアチューブ５と第２のエアチューブ９は乗り上げ難くなる。従って、第１のエアチューブ５と第２のエアチューブ９が表示部２又は操作部３にかかり難くなるので、表示部２の視認や、操作部３の操作が邪魔され難くなる。
【００２５】
また、前記エアコネクタ１０は凹部１ａに配設されているので、予期しない外部衝撃を受ける機会は少なくなる。更に、エアコネクタ１０は凹部１ａに隠れるので、外観品質を損なうことはない。また、凹部１ａが、血圧計本体１の後方に開口しているため、エアコネクタ１０への第１のエアチューブと第２のエアチューブの着脱が容易である。
【００２６】
更に、前記凹部１ａの上部外表面１ｂで、エアコネクタ１０と当接部１ｃの略中間位置に、２つのエアチューブ５、９を保持・固定するチューブ固定リング（図示せず）を配設してエアチューブをより確実に固定しても良い。
【００２７】
図５は、本発明の第２の実施の形態に係わる血圧計本体の裏面図である。図５において、前記血圧計本体１の底面左側で、前後方向（図５に示すＥ−Ｆ方向）に凹部１ａを形成し、該凹部１ａの上部外表面１ｂの前後方向の略中央部に、前述したエアコネクタ１０を配設したものである。前記凹部１ａは、血圧計本体１の前後方向に開口していて、この凹部１ａの上部外表面１ｂや側部外表面１ｄは、前述した第１の実施の形態と同様に、前記第１のエアチューブ５と第２のエアチューブ９の延伸方向を規制するものである。すなわち、血圧計測時には、前記第１のエアチューブ５と第２のエアチューブ９は上部外表面１ｂの両端の当接部１ｃや、側部外表面１ｄの当接部１ｅで当接するように構成されており、これらのチューブの延伸方向は血圧計本体１の前後方向（図５に示すＥ−Ｆ方向）に規制されている。図５に示すように、カフ接続部１０ａの先端から前記ポンプ接続部１０ｂの先端迄の長さＬは、血圧計本体１の前後方向の長さＬ２より短く設定されている。
【００２８】
上記した構成による作用・効果は、前述した第１の実施の形態の形態と同様に、表示部及び操作部が配設されている血圧計本体１の表面側に両エアチューブが乗り上げ難く、両エアチューブが表示部又は操作部にかかり難くなる。表示部の視認や、操作部の操作は邪魔され難い。
【００２９】
以上述べたように、本発明の第１，第２の実施の形態では、前記凹部形成位置を血圧計本体の後方（上辺）側や左側の底面コーナとしたが、これに限るものではなく、凹部を形成する位置は、血圧計本体の外表面であればよく、例えば、血圧計本体の底面の他の場所や側壁に設けて同様な作用・効果を奏するようにしても良い。
【００３０】
また、第１のエアチューブ５と第２のエアチューブ９の両方の延伸方向を規制しなくても、必要に応じていずれか一方の延伸方向を規制したり、これら以外に血圧計本体１と連通する可撓性のチューブがあれば、その延伸方向を規制しても良い。
【００３１】
さらに、第１のエアチューブ５と第２のエアチューブ９を、エアコネクタ１０を介して血圧計本体１に連通したが、第１のエアチューブ５や第２のエアチューブ９の着脱が不要であれば、直接血圧計本体１に連通するように構成しても良い。
【００３２】
【発明の効果】
以上の説明で明らかなように、本発明の血圧計において、血圧計測時に、エアチューブが表示部又は操作部にかかり難くなり、表示の視認や、電源スイッチ等の操作部の操作を妨げ難くなる。
【図面の簡単な説明】
【図１】本発明の第１の実施の形態に係わる電子血圧計の外観斜視図である。
【図２】図１を矢印Ａ方向から見た血圧計本体の側面図である。
【図３】図２を矢印Ｂ方向から見た背面図である。
【図４】図１の血圧計本体の裏面図である。
【図５】本発明の第２の実施の形態に係わる電子血圧計本体の底面図である。
【図６】従来の電子血圧計の外観斜視図である。
【符号の説明】
１　血圧計本体
１ａ　凹部
１ｂ　上部外表面
１ｃ　当接部
２　表示部
３　操作部
４　カフ
５　第１のエアチューブ
６　加圧・減圧機構
７　エアポンプ
９　第２のエアチューブ
１０　エアコネクタ
１０ａ　カフ接続部
１０ｂ　ポンプ接続部
１０ｃ　本体接続部
Ｌ　エアコネクタの長さ
Ｌ１　血圧計本体の左右方向の長さ
Ｌ２　血圧計本体の前後方向の長さ
【図１】
2004081743.tif 000003
【図２】
2004081743.tif 000004
【図３】
2004081743.tif 000005
【図４】
2004081743.tif 000006
【図５】
2004081743.tif 000007
【図６】
2004081743.tif 000008